(57)【特許請求の範囲】
【請求項１】
先端が開口し内部に中空部分を有する軸筒と、先端に筆記部を有する複数の筆記芯と、複数のコイルばねと、複数の操作手段を有し、
各筆記芯の外周部に前記コイルばねが装着された状態で前記複数の筆記芯が前記軸筒内に配されており、各筆記芯は前記コイルばねによって軸筒内部方向に向かって付勢されており、操作手段を操作することによって先端の開口から選択的に筆記芯を突出させる複式筆記具において、
複数のコイルばねには、ばね定数が実質的に同一であって、自然長及び／又は装着時の全長が異なるものがあり、
前記操作手段を操作する際における前記各コイルばねの付勢力の大きさの変化量が同等であることを特徴とする複式筆記具。
【請求項２】
前記複数のコイルばねには、自然長が他と相違するものがあり、
全てのコイルばねは、装着時の全長が同一であることを特徴とする請求項１に記載の複式筆記具。
【請求項３】
先端が開口し内部に中空部分を有する軸筒と、先端に筆記部を有する複数の筆記芯と、複数のコイルばねと、複数の操作手段を有し、
各筆記芯の外周部に前記コイルばねが装着された状態で前記複数の筆記芯が前記軸筒内に配されており、各筆記芯は前記コイルばねによって軸筒内部方向に向かって付勢されており、操作手段を操作することによって先端の開口から選択的に筆記芯を突出させる複式筆記具において、
複数のコイルばねには、ばね定数が実質的に同一であって、自然長及び／又は装着時の全長が異なるものがあり、
前記複数のコイルばねは、自然長が同一であり、装着時の全長が、他と相違するものがあることを特徴とする複式筆記具。
【請求項４】
筆記芯として複数のボールペンレフィルと、少なくとも一本のシャープペンシルユニットがあり、前記自然長及び／又は装着時の全長が異なるコイルばねは、シャープペンシルユニットに装着されていることを特徴とする請求項１乃至３のいずれかに記載の複式筆記具。
【発明の詳細な説明】
【技術分野】
【０００１】
本発明は、複数の筆記芯が軸筒の内外に出退する機構を備えた複式筆記具に関するものである。
【背景技術】
【０００２】
従来から、軸筒内にボールペンレフィルや、シャープペンシルユニットを含む複数の筆記芯が内蔵された複式筆記具が知られている。各筆記芯は前後に移動可能であり、複式筆記具は、各筆記芯の先端部分を軸筒の先端開口部から選択的に出没させて使用されている。
【０００３】
このような筆記具として、例えば、特許文献１に開示された複式筆記具がある。特許文献１に開示されている様な従来の複式筆記具では、各筆記軸（筆記芯）が各々コイルばねの付勢力で後方に付勢されて軸筒内に収納されており、コイルばねの付勢力に抗して選択した一つの筆記軸を前方へ移動させると、当該筆記軸の先端部が軸筒の先端開口から突出する。そして、固定手段によって軸筒に対する当該筆記軸の位置が固定され、筆記可能な状態となる。
【先行技術文献】
【特許文献】
【０００４】
【特許文献１】特開２０１１−２４０５５５号公報
【発明の概要】
【発明が解決しようとする課題】
【０００５】
ところで、従来の複式筆記具では、各筆記芯を後方へ付勢するコイルばねとして、ばね定数と自然長（全長）が同じコイルばねが採用されている。また、各コイルばねは、同じ装着時長さで使用されている。そのため、各筆記芯を突出させる際における操作感に差異がなく、使用者は手元を見なければ、使用したい筆記芯を選択することができない。
ここで、特定の筆記芯のコイルばねのばね定数を、他の筆記芯のコイルばねのばね定数と相違させると、操作感に差異を設けることはできるが、この場合には操作時の操作に違和感が生じてしまう。すなわち、筆記芯の先端が軸筒内に収納された収納位置から軸筒の先端開口から突出した突出位置まで移動する際における、コイルばねの付勢力の大きさの変化率、すなわち、操作部材を操作するのに必要な押圧力の大きさの変化率が、ばね定数を変えた特定の筆記芯のみ相違してしまう。そのため、複式筆記具の使用者は、筆記芯の識別は可能であるものの、操作に違和感を覚えてしまう。
【０００６】
そこで本発明は、上記した従来技術の問題に鑑み、筆記芯の先端を、軸筒内の収納位置から軸筒の先端開口から突出した突出位置まで移動させる際における、コイルばねの付勢力の大きさの変化率に差異を設けることなく、付勢力の大きさの差のみで、特定の筆記芯を選択することができる複式筆記具を提供することを課題とする。
【課題を解決するための手段】
【０００７】
上記課題を解決するための請求項１に記載の発明は、先端が開口し内部に中空部分を有する軸筒と、先端に筆記部を有する複数の筆記芯と、複数のコイルばねと、複数の操作手段を有し、各筆記芯の外周部に前記コイルばねが装着された状態で前記複数の筆記芯が前記軸筒内に配されており、各筆記芯は前記コイルばねによって軸筒内部方向に向かって付勢されており、操作手段を操作することによって先端の開口から選択的に筆記芯を突出させる複式筆記具において、複数のコイルばねには、ばね定数が実質的に同一であって、自然長及び／又は装着時の全長が異なるものがあり、前記操作手段を操作する際における前記各コイルばねの付勢力の大きさの変化量が同等であることを特徴とする複式筆記具である。
【０００８】
請求項１に記載の発明では、各筆記芯に対応する操作手段を操作する際における、初動の押圧力の大きさに差異を設けることができる。すなわち、各操作手段を操作して対応する筆記芯が移動を開始する際における、押圧力の大きさに差異を設けることができる。よって、操作時の押圧力の大きさで特定の筆記芯の判別が可能である。そのため、複式筆記具の使用者は、手元を見なくても特定の筆記芯を識別することができる。
また、各コイルばねのばね定数が実質的に同一であるので、自然長及び／又は装着時の全長が異なる各筆記芯における、筆記芯の先端が軸筒内に収納された収納状態を、軸筒の先端の開口から突出した突出状態にする際の、操作手段の操作開始時から操作終了時に至るまでの押圧力の大きさの変化率は同じである。
換言すると、筆記芯の先端が軸筒内に収納された収納状態から軸筒外へ突出する突出状態に至るまでの、各コイルばねの付勢力の大きさの変化の仕方（変化率）が同じであり、付勢力の大きさのみが相違する。そのため、各筆記芯の操作手段を操作した際における、押圧力の大きさの変化率の差に起因する操作の違和感がない。
ここで、「実質的に同一」とは、コイルばねの誤差を考慮して同一の範囲と言えるものであることを意味している。すなわち、コイルばねは、全く同一のものを製造することが困難であり、同一仕様，同一の製造方法，同一の製造過程で製造しても、ロットによってばね定数にある程度のばらつきが生じてしまう。そのため、例えば、ＪＩＳ  Ｂ  ２７０４−２：２００９の「第２部：圧縮コイルばねの仕様の表し方  ６．２（ｃ）ばね定数の許容差  表４」にはばね定数の許容値が規定されている。例えば、ＪＩＳ  Ｂ  ２７０４−２：２００９では、最大でプラスマイナス１２％の誤差を許容している。
本発明において、「実質的に同一」の範囲は、前記したＪＩＳ規格に限定されるものではないが、これに準じる範囲のものは「実質的に同一」であると言える。
【０００９】
請求項２に記載の発明は、前記複数のコイルばねには、自然長が他と相違するものがあり、全てのコイルばねは、装着時の全長が同一であることを特徴とする請求項１に記載の複式筆記具である。
【００１０】
請求項２に記載の発明では、全てのコイルばねの装着時の全長が同じである。そのため、装着時において、自然長が長いコイルばねの付勢力は大きく、自然長が短いコイルばねの付勢力は小さい。これにより、自然長が長いコイルばねが装着された筆記芯と、短いコイルばねが装着された筆記芯の識別が容易である。
さらに、自然長が長いコイルばねと、短いコイルばねとでは、収納位置における付勢力（押圧力）と突出位置における付勢力（押圧力）の差（付勢力の変化量）が同じである。
そのため、複式筆記具の使用者は、自然長が長いコイルばねが装着された筆記芯と、短いコイルばねが装着された筆記芯の操作時に違和感を覚えにくい。
【００１１】
請求項３に記載の発明は、先端が開口し内部に中空部分を有する軸筒と、先端に筆記部を有する複数の筆記芯と、複数のコイルばねと、複数の操作手段を有し、各筆記芯の外周部に前記コイルばねが装着された状態で前記複数の筆記芯が前記軸筒内に配されており、各筆記芯は前記コイルばねによって軸筒内部方向に向かって付勢されており、操作手段を操作することによって先端の開口から選択的に筆記芯を突出させる複式筆記具において、複数のコイルばねには、ばね定数が実質的に同一であって、自然長及び／又は装着時の全長が異なるものがあり、前記複数のコイルばねは、自然長が同一であり、装着時の全長が、他と相違するものがあることを特徴とする複式筆記具である。
【００１２】
請求項３に記載の発明では、自然長が同一であり、装着時の全長が他と相違するコイルばねの圧縮量は、他のコイルばねの圧縮量と相違する。よって、装着時の全長が他と相違するコイルばねの付勢力は、他のコイルばねの付勢力と相違する。
そのため、コイルばねの付勢力の違いによって、操作手段を操作する際に必要な押圧力が相違し、容易に装着時の全長が他と相違するコイルばねが装着された筆記芯と、他のコイルばねが装着された筆記芯とを識別することができる。
また、コイルばねの付勢力が相違することにより、操作手段の押圧開始時における初動の押圧力が相違する。しかし、各コイルばねのばね定数が同じであるので、筆記芯が収納位置から突出位置まで移動する際における、コイルばねの付勢力（操作手段を押圧する押圧力）の大きさの変化の仕方が同様になる。そのため、複式筆記具の使用者は、操作手段の操作に違和感がない。
【００１３】
請求項４に記載の発明は、筆記芯として複数のボールペンレフィルと、少なくとも一本のシャープペンシルユニットがあり、前記自然長及び／又は装着時の全長が異なるコイルばねは、シャープペンシルユニットに装着されていることを特徴とする請求項１乃至３のいずれかに記載の複式筆記具である。
【００１４】
請求項４に記載の発明では、前記自然長及び／又は装着時の全長が異なるコイルばねは、シャープペンシルユニットに装着されているので、複数の筆記芯のうちから、シャープペンシルユニットを容易に選択することができる。
【発明の効果】
【００１５】
本発明によると、操作手段の操作開始時の押圧力の大きさで筆記芯の判別が可能である。また、各筆記芯の収納位置から突出位置まで移動する際における、各コイルばねの付勢力の大きさの変化量に差がなく、操作の違和感がない。
【図面の簡単な説明】
【００１６】
【図１】本発明の実施形態に係る複式筆記具の斜視図であり、いずれの筆記芯のペン先も軸筒の先端の突出口から突出していない状態を示す。
【図２】図１において、ボールペンレフィルのペン先が突出口から突出している状態を示す斜視図である。
【図３】図１において、シャープペンシルユニットのペン先が突出口から突出している状態を示す斜視図である。
【図４】図１の複式筆記具の断面図である。
【図５】１つのボールペンレフィルと、当該ボールペンレフィルに係合する複式筆記具の要部のみを描写した説明図であり、（ａ）はペン先が軸筒内に収納されている状態を示し、（ｂ）はペン先が軸筒から突出している状態を示す。
【図６】シャープペンシルユニットと、当該シャープペンシルユニットに係合する複式筆記具の要部のみを描写した説明図であり、（ａ）はペン先が軸筒内に収納されている状態を示し、（ｂ）はペン先が軸筒から突出している状態を示す。
【図７】図１の複式筆記具のコイルばね部分の変形例を示す説明図であり、（ａ）は、シャープペンシルユニットに装着されているコイルばねの自然長と、ボールペンレフィルに装着されているコイルばねの自然長が相違している状態を示しており、（ｂ）は、両コイルばねが、シャープペンシルユニット及びボールペンレフィルに装着された際における装着時の全長を示しており、（ｃ）は、シャープペンシルユニット及びボールペンレフィルのペン先が、軸筒の先端の突出口から突出した際における、各コイルばねの突出時長さを示している。
【図８】図１の複式筆記具のコイルばね部分の図７とは別の形態の説明図であり、（ａ）は、シャープペンシルユニットに装着されているコイルばねの自然長と、ボールペンレフィルに装着されているコイルばねの自然長が一致している状態を示しており、（ｂ）は、両コイルばねが、シャープペンシルユニット及びボールペンレフィルに装着された際における装着時の全長を示しており、（ｃ）は、シャープペンシルユニット及びボールペンレフィルのペン先が、軸筒の先端の突出口から突出した際における、各コイルばねの突出時長さを示している。
【図９】図４の補助部材のＡ−Ａ方向から見た矢視図である。
【図１０】ボールペンレフィル用のコイルばねの側面図である。
【図１１】シャープペンシルユニット用のコイルばねの側面図である。
【発明を実施するための形態】
【００１７】
以下さらに、本発明の実施形態について説明する。なお、以下の説明において前後の関係はペン先側を前側、ペン軸側を後側として説明する。
本実施形態の複式筆記具は、複数の芯部材を内蔵し、これを選択的に突出させることができるものである。本実施形態の複式筆記具は、芯部材を軸筒内部方向（すなわち、後方側）に付勢するコイルばねに特徴がある。特徴部分の説明に先立って、複式筆記具の概要について説明し、その後で特徴部分たるコイルばねについて詳細に説明する。
【００１８】
本実施形態の複式筆記具１は、図１〜図４で示されるように、本体である軸筒２と、軸筒２の内部に配される芯部材３ａ，３ｂ（筆記芯）と、芯部材３ａ，３ｂを所定の位置で前後移動可能に保持するための補助部材４と、操作部材５と、芯部材３ａ，３ｂを後方へ付勢する２種類のボールペンレフィル用コイルばね７，シャープペンシルユニット用コイルばね８を備えている。
【００１９】
軸筒２は、前側筒部１２と、後側筒部１３により構成されている。これら前側筒部１２と、後側筒部１３の内部には空間が形成されており、それぞれの空間は、前側筒部１２と後側筒部１３が一体に取り付けられたとき、連通した状態となる。
【００２０】
前側筒部１２は、前後端にそれぞれ開口を有する略円筒状の部材であり、前端近傍の部分が前端に向かうにつれて狭径となっている。前端部分に形成された開口は、芯部材３の前端部分（ペン先部分）を外部に突出させるための突出口９となる開口であり、内部に形成される空間と外部とを連通させている。
【００２１】
また、前側筒部１２の後端部分に形成される開口は、前端部分に形成された突出口９よりも径の大きな開口となっており、軸筒２が組み立てられた際には、後側筒部１３の内部空間に向かって開いた状態となる。また、前側筒部１２の後端部分の近傍では、その外周面に外ネジ（雄ネジ）が形成されている。この外ネジは、後側筒部１３の内周面に形成された内ネジ（雌ネジ）と螺合可能である。
【００２２】
後側筒部１３は、前端に開口を有する略円筒状の部材であり、後端側は閉塞されている。後側筒部１３の前端部分の近傍では、その内周面に内ネジ（雌ネジ）が形成されている。この内ネジは、前述した前側筒部１２に形成された外ネジ（雄ネジ）と螺合可能である。また、後側筒部１３の後端部分の近傍には、後側筒部１３（軸筒２）の軸方向に沿って延びる縦溝１７が形成されている。
【００２３】
縦溝１７は、後側筒部１３の内外を貫通しており、後側筒部１３の側面（外周面）に形成されており、外周面の後端部分から前方へ向かって延びている。この縦溝１７の開口形状は、略縦長長方形状であり、前端部分及び後端部分に位置する角部分が丸みを帯びた形状となっている。つまり、縦溝１７は、細長く延びる長孔，又はスリットとなっている。
【００２４】
縦溝１７は、複数設けられており、後側筒部１３の周方向に間隔を空けて並列した状態となっている。そして、いずれの縦溝１７も後側筒部１３の側面を貫通し、内外を連通している。本実施形態では、縦溝１７は５つ設けられている。
【００２５】
次に、芯部材３ａについて説明する。
芯部材３ａは、公知のボールペンレフィルと同様のものであり、図５（ａ）で示されるように、ボールペンチップ２０（筆記部），インク収納筒２１を備えた構成となっている。
【００２６】
ボールペンチップ２０は、内蔵された金属製のボールを回転自在に固定する構造となっており、このボールの回転により、インク収納筒２１から供給されるインクを外部の筆記対象物（紙等）に塗布可能となっている。
【００２７】
インク収納筒２１は、内部に所定の色のインクが内蔵された円筒体であり、その前端部分には、ボールペンチップ２０が一体に固定されている。また、インク収納筒２１の内部には、後端よりもやや前側寄りの部分に開口栓（図示しない）が設けられている。インク収納筒２１の内部空間は、この開口栓によって前後の２つの空間に分割されており、前側に位置する空間にインクが充填された状態となっている。インク収納筒２１の外径は、芯部材３ａの外径を構成している。
インク収納筒２１の後端には、後述の操作部材５が一体化されている。
【００２８】
次に、芯部材３ｂについて説明する。
芯部材３ｂは、シャープペンシルユニットである。芯部材３ｂは、図６（ａ）に示す様に、ペン先ユニット３１（筆記部）と、芯収納部３２を有している。
【００２９】
ペン先ユニット３１は、芯（シャープペンシルの芯）を繰り出すための芯送り機構を備えており、芯部材３ｂの先端部（ペン先）を構成している。
【００３０】
芯収納部３２は、筒状の部位である。芯収納部３２の前端は開口しており、開口した前端にペン先ユニット３１の後端部が挿入されている。すなわち、芯収納部３２とペン先ユニット３１は、着脱が可能に一体化されている。
芯収納部３２の後端には、後述の操作部材５が一体化されている。
【００３１】
芯収納部３２には、複数の芯（シャープペンシルの芯）が内蔵されている。芯収納部３２内の芯が、芯送り機構によってペン先ユニット３１から繰り出される。
【００３２】
次に補助部材４について説明する。
図４に示す補助部材４は、軸筒２（後側筒部１３）の内部に固定された部材であり、複数（本実施形態では４つ）の芯部材保持孔２５（図５（ａ），図９）と、１つの芯部材保持孔２６（図６（ａ），図９）を有している。芯部材保持孔２５，２６は、前後方向に補助部材４を貫通した孔である。隣接する最も近い芯部材保持孔２５同士又は芯部材保持孔２５と芯部材保持孔２６の中心間距離は、３．５ｍｍ程度である。
芯部材保持孔２５，２６は、それぞれ芯部材３ａ，３ｂ（筆記芯）を挿通させる貫通孔であり、芯部材３ａ，３ｂ（筆記芯）を前後方向に移動させるためのガイドとして機能する。
また、補助部材４の後端には、支持面１９が設けられている。支持面１９は、後述のコイルばね７，８の前端を当接させて支持する支持部として機能する。
【００３３】
操作部材５は、長細い操作部本体４２と、操作部本体４２の上面から上方へ突出する操作突起４３と、係合部４４を備えている。
【００３４】
操作部本体４２は、前後方向に延びる略直方体状の部位である。
操作突起４３は、複式筆記具１の使用者が操作するための突出した部位である。
ここで、操作部本体４２の上面は、複式筆記具１の組み立て時に外側面となる部分である。つまり、操作突起４３は、操作部本体４２の外側面から外側へ突出した部分であるともいえる。なお、この操作突起４３は、操作部本体４２の後端寄りの部分に形成されており、その突出端部分が丸みを帯びた形状となっている。
係合部４４は、操作部本体４２の前端付近に設けられた鍔状の部位である。
係合部４４は、芯部材３ａのインク収納筒２１の後端，又は芯部材３ｂの芯収納部３２の後端と一体化されている。
係合部４４は、後述のボールペンレフィル用コイルばね７の後端部分又はシャープペンシルユニット用コイルばね８の後端部分が当接する部位である。
【００３５】
軸筒２（後側筒部１３）の後端付近には、クリップ６が一体固着されている。クリップ６は、後端部分が後側筒部１３の後端付近に一体固着されており、前端部分に玉部６ａを有しており、玉部６ａが軸筒２の外周面に当接又は近接している。
【００３６】
ボールペンレフィル用コイルばね７，シャープペンシルユニット用コイルばね８の詳しい構成については後述する。
【００３７】
次に、本実施形態の複式筆記具１の組み立て構造について説明する。
【００３８】
図４に示す様に、後側筒部１３内に補助部材４が配置されており、補助部材４は後側筒部１３内で固定されている。
前側筒部１２と後側筒部１３は、螺合して一体化されている。すなわち、前側筒部１２の後端側に形成した外ネジと、後側筒部１３の前端側に形成した内ネジとが螺合しており、両者が一体化されている。
【００３９】
ボールペンレフィルである各芯部材３ａ（筆記芯）に、各々ボールペンレフィル用コイルばね７が外嵌されている。各芯部材３ａ（インク収納筒２１）が、補助部材４の芯部材保持孔２５（図９）に挿通されており、各芯部材３ａの先端部分（ボールペンチップ２０）が、図４，図５（ａ）に示す様に、前側筒部１２内に配置されている。
【００４０】
各芯部材３ａの後端に一体化されている操作部材５の操作部本体４２が、後側筒部１３の縦溝１７（図１，図２）にそれぞれ係合している。すなわち、操作部材５の操作突起４３が、縦溝１７に嵌入されており、後側筒部１３の内側に配した操作部材５の一部である操作突起４３が、縦溝１７から外部に突出した状態となっている。このことから、操作突起４３が縦溝１７に沿ってスライド移動可能な状態となっている。図１，図２では、一組の縦溝１７と操作部材５の操作突起４３が描写されている。
【００４１】
図５（ａ），図５（ｂ）に示す様に、ボールペンレフィル用コイルばね７は、補助部材４と芯部材３ａと一体の操作部材５（係合部４４）の間に配置されている。ボールペンレフィル用コイルばね７の前端は、補助部材４の支持面１９（図５（ａ）、図９）に当接している。また、ボールペンレフィル用コイルばね７の後端は、操作部材５の係合部４４に当接している。すなわち、ボールペンレフィル用コイルばね７は、補助部材４の支持面１９と操作部材５の係合部４４の間で若干圧縮された状態となっている。
【００４２】
同様に、シャープペンシルユニットである芯部材３ｂ（筆記芯）には、シャープペンシルユニット用コイルばね８が外嵌されている。芯部材３ｂは、補助部材４の芯部材保持孔２６（図９）に挿通されており、芯部材３ｂの先端部分（ペン先ユニット３１）は、図４，図６（ａ）に示す様に、前側筒部１２内に配置されている。
【００４３】
図４に示す様に、芯部材３ｂの後端に一体化されている操作部材５の操作部本体４２が、後側筒部１３の縦溝１７に係合しており、操作部材５の操作突起４３が縦溝１７に嵌入されている。そして、後側筒部１３の内側に配した操作部材５の一部である操作突起４３が、縦溝１７から外部に突出した状態となっている。このことから、操作突起４３が縦溝１７に沿ってスライド移動可能な状態となっている。
【００４４】
図６（ａ），図６（ｂ）に示す様に、シャープペンシルユニット用コイルばね８は、補助部材４と操作部材５（係合部４４）の間に配置されている。芯部材３ｂに外嵌されたシャープペンシルユニット用コイルばね８の前端は、補助部材４の支持面１９（図６（ａ）、図９）に当接している。また、シャープペンシルユニット用コイルばね８の後端は、操作部材５の係合部４４に当接している。すなわち、シャープペンシルユニット用コイルばね８の両端は、補助部材４の支持面１９と芯部材３ｂの後端に一体化されている操作部材５の係合部４４に当接しており、シャープペンシルユニット用コイルばね８は圧縮されている。
【００４５】
このように各部材を組み合わせることにより、本実施形態の複式筆記具１が組み立てられることとなる。
【００４６】
次に、複式筆記具１の動作について説明する。
本実施形態の複式筆記具１は、軸筒２の外部に露出した操作突起４３を前後方向にスライド移動させることで、ボールペンチップ２０（芯部材３ａの先端部分）や、ペン先ユニット３１（芯部材３ｂの先端部分）を軸筒２（前側筒部１２）の突出口９から選択的に出没させることができる。
【００４７】
すなわち、例えば、ボールペンチップ２０（ペン先）が軸筒２内に退入した状態から、使用者が操作突起４３の１つを前側（ペン先側）に、ボールペンレフィル用コイルばね７の付勢力に抗して押圧しスライド移動させると、操作部材５が前側へと移動する。これに伴って、操作部材５と連結したインク収納筒２１もまた前側へと移動し、インク収納筒２１と一体のボールペンチップ２０が突出口９から突出する。
そして、図示しない係合手段により、軸筒２に対する芯部材３ａの位置が固定され、ボールペンチップ２０が突出口９から突出した状態が維持される。
【００４８】
また、この突出状態から芯部材３ａのボールペンチップ２０（ペン先）を軸筒２の内部に退入させる場合、図示しない係合手段による係合を解除する。これにより芯部材３ａは、ボールペンレフィル用コイルばね７の付勢力によって後側へ移動し、ボールペンチップ２０が軸筒２内に退入する。
【００４９】
図１では、操作突起４３が縦溝１７の後端に位置しており、ボールペンチップ２０が前側筒部１２（軸筒２）内に収納された状態が示されており、図２では、操作突起４３が縦溝１７の前端側に位置しており、ボールペンチップ２０が突出口９から突出した状態が示されている。
【００５０】
同様に、別の縦溝１７（図４）の後端に位置している芯部材３ｂの操作部材５の操作突起４３を、縦溝１７に沿って前側へ移動させると、図３に示す様に、軸筒２の突出口９からペン先ユニット３１が突出する。そして、図示しない係合手段によって軸筒２に対する芯部材３ｂの位置が固定され、ペン先ユニット３１が突出口９から突出した状態が維持される。
【００５１】
また、この突出状態から芯部材３ｂのペン先ユニット３１（ペン先）を軸筒２の内部に退入させる場合、図示しない係合手段による係合を解除する。これにより芯部材３ｂは、シャープペンシルユニット用コイルばね８の付勢力によって後側へ移動し、ペン先ユニット３１が軸筒２内に退入する。
【００５２】
図１では、操作突起４３が縦溝１７（図４）の後端に位置しており、ペン先ユニット３１が前側筒部１２（軸筒２）内に収納された状態が示されており、図３では、操作突起４３が縦溝１７（図４）の前端側に位置しており、ペン先ユニット３１が突出口９から突出した状態が示されている。
【００５３】
すなわち、使用者がいずれかの芯部材３ａと一体の操作部材５、又は芯部材３ｂと一体の操作部材５を操作することにより、芯部材３ａ又は芯部材３ｂが軸筒２の軸方向に移動し、芯部材３ａ，３ｂの前端部分が軸筒２の内外に出没する構成となっている。すなわち、いずれかの操作部材５を軸方向の前方へ移動させることにより、芯部材３ａ又は３ｂの先端側が前方へと移動し、軸筒２の突出口９から外部へ繰り出される。また、この状態から操作部材５を後方へ移動させることにより、芯部材３ａ，３ｂの先端側が後方へ移動し、軸筒２の内部に退入する。
【００５４】
次に特徴部分たるコイルばねについて説明する。
［第一実施形態］
【００５５】
図７は、単位長さ当たりのコイル巻き数，巻径，線径，及びばね定数が同じで、自然長が異なる２つのコイルばね７，８を芯部材３ａ，３ｂに外嵌させた場合のモデル図である。すなわち、コイルばね７，８は、同一規格で、自然長のみが相違している。図７において、複式筆記具全体の描写は省略している。図７（ａ）に示す様に、シャープペンシルユニット用コイルばね８の自然長はＬ１、ボールペンレフィル用コイルばね７の自然長はＭ１であり、コイルばね８よりもコイルばね７の自然長の方が長い（Ｌ１＜Ｍ１）。
【００５６】
この２種類のコイルばね７，８を、図７（ｂ）に示す様に、芯部材３ａ，３ｂに外嵌させる。
【００５７】
シャープペンシルユニットである芯部材３ｂの後端側には係合部４４（操作部材５）があり、芯部材３ｂは、軸筒（図示せず）内に固定された補助部材４の芯部材保持孔２６（図９）を貫通している。係合部４４と補助部材４の距離Ｎ１は、自然長Ｌ１よりも短い（Ｌ１＞Ｎ１）。自然長がＬ１のコイルばね８は、係合部４４（操作部材５）と補助部材４の間に圧縮状態で配置されており、装着時の全長がＮ１となっている。すなわち、コイルばね８は、Ｌ１−Ｎ１（自然長マイナス装着時の全長）だけ圧縮されている。
【００５８】
同様に、ボールペンレフィルである芯部材３ａの後端側には係合部４４（操作部材５）があり、芯部材３ａは、軸筒（図示せず）内に固定された補助部材４の芯部材保持孔２５（図９）を貫通している。操作部材５と補助部材４の距離Ｎ１は、自然長Ｍ１よりも短い（Ｍ１＞Ｎ１）。自然長がＭ１（Ｍ１＞Ｌ１）のコイルばね７は、係合部４４（操作部材５）と補助部材４の間に圧縮状態で配置されており、装着時の全長がＮ１となっている。すなわち、コイルばね７は、Ｍ１−Ｎ１（自然長マイナス装着時の全長）だけ圧縮されている。
【００５９】
両芯部材３ａ，３ｂは、図７（ｂ）に示す軸筒内の退入位置と、図７（ｃ）に示す軸筒の先端の突出口からペン先を突出させる突出位置との間を往復移動する。図７（ｃ）に示す様に、芯部材３ａ，３ｂのペン先の突出時における両コイルばね７，８の長さはＰ１（Ｐ１＜Ｎ１）である。
【００６０】
芯部材３ａ，３ｂが退入位置から突出位置に移動すると、芯部材３ａ，３ｂに外嵌したコイルばね７，８の長さは、Ｎ１からＰ１（Ｐ１＜Ｎ１）となり、両コイルばね７，８はさらに圧縮される。また、芯部材３ａ，３ｂの移動距離（ストローク）は同じＮ１−Ｐ１（装着時の全長マイナス突出時の全長）である。
【００６１】
ここで、コイルばね８の自然長はＬ１であり、コイルばね７の自然長はＭ１（＞Ｌ１）であるので、図７（ｂ），図７（ｃ）に示す様に、コイルばね８の圧縮量よりもコイルばね７の圧縮量の方が大きく、コイルばね８の付勢力よりもコイルばね７の付勢力の方が大きい。
【００６２】
ところが、コイルばね７，８のばね定数は同じであるため、コイルばね８における退入位置での付勢力と突出位置での付勢力の差は、コイルばね７における退入位置での付勢力と突出位置での付勢力の差と等しい。すなわち、コイルばね７，８では、退入位置から突出位置に至るまで、付勢力の大きさは同様に変化する。
【００６３】
換言すると、芯部材３ａ，３ｂが退入位置から突出位置に至るまでの移動距離は同じ（Ｎ１−Ｐ１）であり、使用者が操作部材５の操作突起４３（図１，図５，図６）を操作するのに必要な押圧力の変化の仕方は同様になる。そのため、使用者は、両芯部材３ａ，３ｂとそれぞれ一体の操作部材５を操作する際に違和感を覚えにくい。
【００６４】
両コイルばね７，８の装着時の全長Ｎ１が同じである場合において、シャープペンシルユニット用コイルばね８の自然長Ｌ１と、ボールペンレフィル用コイルばね７の自然長Ｍ１の差は、２〜６ｍｍの範囲であるのが好ましく、３〜５ｍｍの範囲であるのがより好ましく、３．５〜４．５ｍｍの範囲であるのが最も好ましい。
【００６５】
また、両コイルばね７，８の装着時の全長Ｎ１が同じである場合において、シャープペンシルユニット用コイルばね８の自然長Ｌ１は、ボールペンレフィル用コイルばね７の自然長Ｍ１の８０〜９０％の範囲の長さであるのが好ましく、８２〜８８％の範囲の長さであるのがより好ましく、８４〜８６％の範囲の長さであるのが最も好ましい。
【００６６】
具体的には、シャープペンシルユニット用コイルばね８の自然長Ｌ１は２４ｍｍであり、ボールペンレフィル用コイルばね７の自然長Ｍ１は２８ｍｍである。すなわち、シャープペンシルユニット用コイルばね８の自然長Ｌ１は、ボールペンレフィル用コイルばね７の自然長Ｍ１の（２４／２８＊１００＝）８６％である。ここで＊は、乗算である。
【００６７】
そして、軸筒２内に装着された際におけるシャープペンシルユニット用コイルばね８の強度とボールペンレフィル用コイルばね７の強度の差（例えば、移動開始時で比較）は、０．０１５〜０．０２５ｋｇｆ（０．１４７〜０．２４５Ｎ）であるのが好ましく、０．０１７〜０．０２３ｋｇｆ（０．１６７〜０．２２６Ｎ）であるのがより好ましく、０．０１９〜０．０２１ｋｇｆ（０．１８６〜０．２０６Ｎ）であるのが最も好ましい。
【００６８】
すなわち、強度の差が、０．０１５〜０．０２５ｋｇｆ（０．１４７〜０．２４５Ｎ）であると、２０人の使用者のうちの１２人が違いを識別することができ、０．０１７〜０．０２３ｋｇｆ（０．１６７〜０．２２６Ｎ）であると、２０人中１６人が識別することができ、０．０１９〜０．０２１ｋｇｆ（０．１８６〜０．２０６Ｎ）であると、２０人全員が識別することができた。
【００６９】
両コイルばね７，８の強度の差が、これらの範囲を超えて大きくなると、複式筆記具の使用者が使用した際に違和感を覚える。すなわち、強度が強い方のコイルばね７を収縮させる（ペン先を突出させる）のに要する押圧力（操作部材５を操作する際の押圧力）が大き過ぎて操作しにくくなる。また、両コイルばね７，８の強度の差が、これらの範囲よりも小さくなると、両コイルばね７，８（芯部材３ａ，又は３ｂと一体の操作部材５）の操作感に差が感じられず、使用者はシャープペンシルであるのかボールペンであるのかを識別することができなくなる。
［第二実施形態］
【００７０】
次に、第二実施形態について説明する。
この第二実施形態では、２つのコイルばねのばね定数と自然長が同じで、装着時の長さが相違する場合について説明する。
【００７１】
図８は、単位長さ当たりのコイル巻き数，巻径，線径，自然長，及びばね定数等の規格が同じ２つのコイルばね１０，１１を芯部材３ａ，３ｂに外嵌させた場合のモデル図である。図８において、複式筆記具全体の描写は省略している。図８（ａ）に示す様に、コイルばね１１の自然長はＬ２、コイルばね１０の自然長はＭ２であり、両コイルばね１０，１１の自然長は同じである（Ｌ２＝Ｍ２）。
【００７２】
この２種類のコイルばね１０，１１を、図８（ｂ）に示す様に、芯部材３ａ，３ｂに外嵌させる。
【００７３】
シャープペンシルユニットである芯部材３ｂの後端側には係合部４４（操作部材５）があり、芯部材３ｂは、軸筒（図示せず）内に固定された補助部材４の芯部材保持孔２６（図９）を貫通している。係合部４４（操作部材５）と補助部材４の距離Ｎ２は、自然長Ｌ２よりも短い（Ｌ２＞Ｎ２）。自然長がＬ２のコイルばね１１は、係合部４４（操作部材５）と補助部材４の間に圧縮状態で配置されており、装着時の全長がＮ２となっている。
【００７４】
同様に、芯部材３ａの後端側には係合部５４（操作部材５）があり、芯部材３ａは、軸筒（図示せず）内に固定された補助部材４の芯部材保持孔２５（図９）を貫通している。係合部５４（操作部材５）と補助部材４の距離Ｎ３は、コイルばね１０の自然長Ｍ２よりも短い（Ｍ２＞Ｎ３）。自然長がＭ２（＝Ｌ２）のコイルばね１０は、係合部５４（操作部材５）と補助部材４の間に圧縮状態で配置されており、装着時の全長がＮ３となっている。
【００７５】
ここで、コイルばね１１の装着時の全長Ｎ２とコイルばね１０の装着時の全長Ｎ３では、Ｎ２の方が長い（Ｎ２＞Ｎ３）。そのため、コイルばね１０の圧縮量が、コイルばね１１の圧縮量よりも大きく、コイルばね１０の付勢力の方が、コイルばね１１の付勢力よりも大きい。
【００７６】
両芯部材３ａ，３ｂは、図８（ｂ）に示す軸筒内の退入位置と、図８（ｃ）に示す軸筒の先端開口にペン先を突出させる突出位置との間を往復移動する。
【００７７】
芯部材３ｂが退入位置から突出位置に移動すると、芯部材３ｂに外嵌したコイルばね１１の長さは、Ｎ２からＰ２（＜Ｎ２）となり、コイルばね１１はさらに圧縮される。
また、芯部材３ａが退入位置から突出位置に移動すると、芯部材３ａに外嵌したコイルばね１０の長さは、Ｎ３からＰ３（＜Ｎ３）となり、コイルばね１０はさらに圧縮される。
【００７８】
ここで、芯部材３ａ，３ｂの、それぞれの退入位置から突出位置までの移動距離（ストローク）は同じである。すなわち、使用者による操作部材５（係合部４４，５４）の移動距離は同じであり、Ｎ２−Ｐ２＝Ｎ３−Ｐ３である。
【００７９】
図８（ｂ）に示す例では、操作部材５の係合部５４の方が係合部４４よりも前方側（補助部材４側）に張り出している。そのため、退入位置における装着時の全長（Ｎ２，Ｎ３）が、コイルばね１０の方がコイルばね１１よりも短くなっており（Ｎ２＞Ｎ３）、コイルばね１０の付勢力がコイルばね１１の付勢力よりも大きくなっている。
【００８０】
ここで、コイルばね１０，１１のばね定数は同じであり、コイルばね１１における退入位置での付勢力と突出位置での付勢力の差は、コイルばね１０における退入位置での付勢力と突出位置での付勢力の差と等しくなるように設定されている。すなわち、コイルばね１０，１１では、退入位置から突出位置に至るまで、付勢力の大きさは同様に変化する。
【００８１】
換言すると、芯部材３ａ，３ｂが退入位置から突出位置に至るまで、使用者が操作部材５（係合部４４，５４）を操作するのに必要な押圧力の変化の仕方は同様になる。そのため、使用者は、両芯部材３ａ，又は３ｂと一体の操作部材５を操作する際に違和感を覚えにくい。
【００８２】
両コイルばね１０，１１の自然長が同じ（Ｌ２＝Ｍ２）である場合において、シャープペンシルユニット用コイルばね１１の装着時の全長Ｎ２と、ボールペンレフィル用コイルばね１０の装着時の全長Ｎ３の差（Ｎ２−Ｎ３）は、２〜６ｍｍの範囲であるのが好ましく、３〜５ｍｍの範囲であるのがより好ましく、３．５〜４．５ｍｍの範囲であるのが最も好ましい。
【００８３】
また、両コイルばね１０，１１の自然長が同じ（Ｌ２＝Ｍ２）である場合において、ボールペンレフィル用コイルばね１０の装着時の全長Ｎ３は、シャープペンシルユニット用コイルばね１１の装着時の全長Ｎ２の７０〜８５％の範囲の長さであるのが好ましく、７３〜８２％の範囲の長さであるのがより好ましく、７６〜８０％の範囲の長さであるのが最も好ましい。
【００８４】
具体的には、シャープペンシルユニット用コイルばね１１と、ボールペンレフィル用コイルばね１０の自然長Ｌ２（Ｍ２）は２８ｍｍである。
シャープペンシルユニット用コイルばね１１の装着時の全長Ｎ２は１８ｍｍであり、ボールペンレフィル用コイルばね１０の装着時の全長Ｎ３は１４ｍｍである。
すなわち、ボールペンレフィル用コイルばね１０の方が、シャープペンシルユニット用コイルばね１１よりも圧縮量が多い（Ｍ２−Ｎ３＞Ｌ２−Ｎ２）。
ボールペンレフィル用コイルばね１０の装着時の全長Ｎ３は、シャープペンシルユニット用コイルばね１１の装着時の全長Ｎ２の（１４／１８＊１００＝）７８％である。
【００８５】
そして、軸筒２内に装着された際におけるシャープペンシルユニット用コイルばね１１の強度とボールペンレフィル用コイルばね１０の強度の差（例えば、移動開始時で比較）は、０．０１５〜０．０２５ｋｇｆ（０．１４７〜０．２４５Ｎ）であるのが好ましく、０．０１７〜０．０２３ｋｇｆ（０．１６７〜０．２２６Ｎ）であるのがより好ましく、０．０１９〜０．０２１ｋｇｆ（０．１８６〜０．２０６Ｎ）であるのが最も好ましい。
【００８６】
すなわち、強度の差が、０．０１５〜０．０２５ｋｇｆ（０．１４７〜０．２４５Ｎ）であると、２０人の使用者のうちの１２人が違いを識別することができ、０．０１７〜０．０２３ｋｇｆ（０．１６７〜０．２２６Ｎ）であると、２０人中１６人が識別することができ、０．０１９〜０．０２１ｋｇｆ（０．１８６〜０．２０６Ｎ）であると、２０人全員が識別することができた。
【００８７】
両コイルばね１０，１１の強度の差が、これらの範囲を超えて大きくなると、複式筆記具の使用者が使用した際に違和感を覚える。すなわち、強度が強い方のコイルばね１０を収縮させる（ペン先を突出させる）のに要する押圧力が大き過ぎて操作しにくくなる。また、両コイルばね１０，１１の強度の差が、これらの範囲よりも小さくなると、両コイルばね１０，１１の操作感に差が感じられず、使用者はシャープペンシルであるのかボールペンであるのかを識別することができなくなる。
【００８８】
図８（ｂ）に示す例では、芯部材３ａに設けた操作部材５の係合部５４の前後方向の大きさ（寸法）が、芯部材３ｂに設けた操作部材５の係合部４４の前後方向の大きさ（寸法）よりも大きく、この係合部４４，５４の前後方向の大きさの相違によって、コイルばねの装着時の全長にＮ２，Ｎ３の差を設けた。
【００８９】
代わりに、操作部材５（係合部４４，５４）を同様の形状及び大きさのものを採用し、補助部材４における各コイルばね１０，１１が当接する面の位置に差を設けてもよい。すなわち、係合部４４，５４に対する各コイルばね当接面（後端部）の前後方向（芯部材３ａ，３ｂの移動方向）の位置を一致させ、さらに補助部材４におけるコイルばね１０が当接する部位を後方に張り出し、補助部材４と係合部５４（操作部材５）の距離をＮ３としてもよい。
【実施例】
【００９０】
実施例は、ボールペンレフィル用コイルばね７１（図１０）とシャープペンシルユニット用コイルばね７２（図１１）を内蔵する複式筆記具である。両コイルばね７１，７２は、ばね定数と、装着時の全長が同じである。移動距離（ストローク）についても両者同じである。
ボールペンレフィル用コイルばね７１とシャープペンシルユニット用コイルばね７２は、自然長と内径が相違している。すなわち、ボールペンレフィル用コイルばね７１とシャープペンシルユニット用コイルばね７２の全長（自然長）を比較すると、シャープペンシルユニット用コイルばね７２はボールペンレフィル用コイルばね７１よりも長い。内径を比較すると、シャープペンシルユニット用コイルばね７２は、ボールペンレフィル用コイルばね７１よりも小さい。
【００９１】
ボールペンレフィル用コイルばね７１は、図１０に示す様に、両端部分に７巻の座巻部２７，２８（密集部）があり、中央部に８巻の密集部２９がある。ボールペンレフィル用コイルばね７１は、これらの座巻部２７，２８及び密集部２９とは別に１４巻有しており、総巻き数は３６巻である。すなわち、ボールペンレフィル用コイルばね７１の有効巻き数は１４巻である。ボールペンレフィル用コイルばね７１の巻き数は、これによらず、任意に設定することができる。
ボールペンレフィル用コイルばね７１の材質は、例えばステンレスを採用することができる。ボールペンレフィル用コイルばね７１は、両端に座巻部２７，２８を設け、中央に密集部２９を設けたことにより、隣接するコイルばね同士が仮に接触しても、絡みにくい。
【００９２】
シャープペンシルユニット用コイルばね７２は、ボールペンレフィル用コイルばね７１とは単位長さ当たりの巻き数，巻径が相違している。
図１１に示す様に、シャープペンシルユニット用コイルばね７２は、両端部分に２巻の座巻部３７，３８（密集部）があり、中央部にも２巻の密集部３９がある。シャープペンシルユニット用コイルばね７２は、これらの座巻部３７，３８及び密集部３９とは別に２８巻有しており、総巻き数は３４巻である。すなわち、シャープペンシルユニット用コイルばね７２の有効巻き数は２８巻である。
シャープペンシルユニット用コイルばね７２は、両端に座巻部３７，３８を設け、中央に密集部３９を設けたことにより、隣接するコイルばね同士が仮に接触しても、絡みにくい。
【００９３】
シャープペンシルユニット用コイルばね７２の座巻部を含む両端部分は、端部へいくほど若干拡径する拡径部を構成している。
【００９４】
操作部材５の操作時におけるボールペンレフィル用コイルばね７１，シャープペンシルユニット用コイルばね７２の付勢力（使用者による操作突起４３の押圧力）を試験し、操作の違和感の大小について表１にまとめた。
以下、具体的に数値を示す。
【００９５】
ボールペンレフィル用コイルばね７１の自然長は、２６．４ｍｍであり、軸筒２内に装着され、ボールペンチップ２０が軸筒２内に収納されている装着時の全長（取付時長さ）は、２２．７ｍｍである。そして、ボールペンチップ２０を軸筒２の突出口９から突出させた状態（使用時長さ）は、８．４ｍｍである。すなわち、軸筒２内のボールペンチップ２０の移動距離（ストローク）は、１４．３ｍｍである。
【００９６】
また、シャープペンシルユニット用コイルばね７２の自然長は、２８．０ｍｍであり、軸筒２内に装着され、ペン先ユニット３１が軸筒２内に収納されている装着時の全長（取付時長さ）は、２２．７ｍｍである。そして、ペン先ユニット３１を軸筒２の突出口９から突出させた状態（使用時長さ）は、８．４ｍｍである。よって、軸筒２内のペン先ユニット３１の移動距離（ストローク）は、１４．３ｍｍである。
【００９７】
シャープペンシルユニット用コイルばね７２（両端の拡径部分を除く）は、ボールペンレフィル用コイルばね７１よりも小径であるが、シャープペンシルユニット用コイルばね７２の中心に芯部材３ｂを配置した際に、シャープペンシルユニット用コイルばね７２から芯部材３ｂまでの距離（クリアランス）は０．０４５ｍｍであり、ボールペンレフィル用コイルばね７１から芯部材３ａまでの距離（クリアランス）の０．１２５ｍｍよりも短い。
【００９８】
ボールペンレフィル用コイルばね７１，シャープペンシルユニット用コイルばね７２のばね定数は、共に０．００３５ｋｇｆ／ｍｍ（０．０３４Ｎ／ｍｍ）である。すなわち、ボールペンレフィル用コイルばね７１，シャープペンシルユニット用コイルばね７２のばね定数は同じである。
【００９９】
ボールペンチップ２０，ペン先ユニット３１が軸筒２内に収納された位置から、軸筒２の突出口９から突出した位置まで移動させる際における、使用者による操作部材５の操作押圧力を計測したところ、表１の様な結果が得られた。
ここで移動開始時とは、ボールペンチップ２０，ペン先ユニット３１が軸筒２内に収納された収納位置からボールペンチップ２０，ペン先ユニット３１の移動を開始した直後であり、移動終了時とは、ボールペンチップ２０，ペン先ユニット３１の突出口９からの突出が完了した時点である。
【０１００】
【表１】
0006713292.tif 000002
表１から、ボールペンレフィル用コイルばね７１，シャープペンシルユニット用コイルばね７２では、移動開始時における付勢力（押圧力）と、移動終了時における付勢力（押圧力）の差は、共に０．０５０ｋｇｆ（０．４９Ｎ）であり一致している。
【０１０１】
そして、２０人の使用者が操作を試みたところ、２０人全員がボールペンレフィル用コイルばね７１，シャープペンシルユニット用コイルばね７２の差異を判別できた。すなわち、ボールペンレフィルとシャープペンシルのいずれであるかが判別できた。
さらに、２０人の使用者全員が操作部材５（ボールペンレフィル用コイルばね７１，シャープペンシルユニット用コイルばね７２）の操作時に違和感を覚えなかった、若しくは違和感が小さかった。
【０１０２】
すなわち、ボールペンレフィル用コイルばね７１，シャープペンシルユニット用コイルばね７２では、移動開始時から移動終了時に至るまで、付勢力（押圧力）の変化率が同じであるため、２０人の使用者全員が操作の違和感を覚えなかった、若しくは違和感が小さかったものと考えられる。
【０１０３】
具体的には、ボールペンレフィル用コイルばね７１では、移動開始時から移動終了時に至るまで、付勢力が０．０５ｋｇｆ（０．４９Ｎ）から０．１０ｋｇｆ（０．９８Ｎ）に０．０５ｋｇｆ（０．４９Ｎ）増加している。
また、シャープペンシルユニット用コイルばね７２では、移動開始時から移動終了時に至るまで、付勢力が０．０３ｋｇｆ（０．２９Ｎ）から０．０８ｋｇｆ（０．７８Ｎ）に０．０５ｋｇｆ（０．４９Ｎ）増加している。
【０１０４】
すなわち、同じ移動距離１４．３ｍｍに対して、押圧力が、一方（シャープペンシルユニット用コイルばね７２）は０．０３ｋｇｆ（０．２９Ｎ）から０．０８ｋｇｆ（０．７８Ｎ）に０．０５ｋｇｆ（０．４９Ｎ）増加しており、他方（ボールペンレフィル用コイルばね７１）は０．０５ｋｇｆ（０．４９Ｎ）から０．１０ｋｇｆ（０．９８Ｎ）に０．０５ｋｇｆ（０．４９Ｎ）増加している。
そのため、２０人の使用者は、操作部材５を操作する際に要する力（押圧力）の大きさは相違するものの、操作部材５の移動を開始してから移動が終了するまでの間の押圧力の変化の度合いが同じであるため、違和感を覚えにくいものと考えられる。
［比較例］
【０１０５】
比較例では、ボールペンレフィル用コイルばね７１とシャープペンシルユニット用のコイルばねＡを内蔵する複式筆記具であり、ボールペンレフィル用コイルばね７１，シャープペンシルユニット用のコイルばねＡは、ばね定数だけが相違し、他の規格は同じである例を示している。
すなわち、ボールペンレフィル用コイルばね７１とシャープペンシルユニット用のコイルばねＡのばね定数を比較すると、コイルばね７１のばね定数は０．００３５ｋｇｆ／ｍｍ（０．０３４Ｎ／ｍｍ）であり、コイルばねＡのばね定数は０．００２１ｋｇｆ／ｍｍ（０．０２１Ｎ／ｍｍ）である。
両コイルばね７１，Ａの他の規格は、全て同じである。
すなわち自然長は、両者同一である。装着時の全長は両者同じである。移動距離（ストローク）についても両者同じである。
以下、具体的に数値を示す。
【０１０６】
比較例では、シャープペンシルユニット用のコイルばねＡと、上記実施例のボールペンレフィル用コイルばね７１を使用した。すなわち、比較例では、実施例におけるシャープペンシルユニット用コイルばね７２の代わりにコイルばねＡを使用した。
シャープペンシルユニット用のコイルばねＡは、ばね定数が０．００２１ｋｇｆ／ｍｍ（０．０２１Ｎ／ｍｍ）であり、自然長は２６．４ｍｍである。また、装着時の全長，使用時長さ，及び移動距離は、ボールペンレフィル用コイルばね７１と同じである。
【０１０７】
【表２】
0006713292.tif 000003
表２からボールペンレフィル用コイルばね７１，シャープペンシルユニット用コイルばねＡでは、移動開始時での付勢力（押圧力）と、移動終了時での付勢力（押圧力）の差は、０．０５０ｋｇｆ（０．４９Ｎ）と０．０３ｋｇｆ（０．２９Ｎ）で一致していない。
【０１０８】
そして、２０人の使用者が操作を試みたところ、使用者全員がコイルばね７１，Ａの差異が判別できた。しかし、使用者全員が操作部材５（ボールペンレフィル用コイルばね７１，シャープペンシルユニット用コイルばねＡ）の操作感の違い（違和感）を覚えた。
【０１０９】
すなわち、コイルばね７１，Ａでは、移動開始時から移動終了時に至るまでの付勢力（押圧力）の変化率が相違するため、使用者全員が操作の違和感を覚えたものと考えられる。
【０１１０】
具体的には、コイルばね７１では、移動開始時から移動終了時に至るまで、付勢力が０．０５ｋｇｆ（０．４９Ｎ）から０．１０ｋｇｆ（０．９８Ｎ）に増加している。一方、コイルばねＡでは、移動開始時から移動終了時に至るまで、付勢力が０．０３ｋｇｆ（０．２９Ｎ）から０．０６ｋｇｆ（０．５９Ｎ）に増加している。
【０１１１】
すなわち、同じ移動距離１４．３ｍｍに対して、押圧力が、一方（コイルばねＡ）は０．０３ｋｇｆ（０．２９Ｎ）増加しており、他方（コイルばね７）は０．０５ｋｇｆ（０．４９Ｎ）増加している。
そのため、２０人の使用者は、操作部材５の移動を開始してから移動が終了するまでの間の押圧力の変化の度合いが相違するため、違和感を覚え易いものと考えられる。
【０１１２】
実施例（表１）の複式筆記具と、比較例（表２）の複式筆記具の使用感を比較すると、ボールペンとシャープペンシルの識別ができる点では共通している。
ところが、操作感は、実施例（表１）の方が優れている。すなわち、実施例の複式筆記具は、ボールペンレフィルとシャープペンシルユニットを違和感なく操作することができる。
【０１１３】
なお、上述の第一実施形態，第二実施形態，実施例では、芯部材が、ボールペンレフィル，シャープペンシルユニットである場合を示したが、本発明はこれによらず、様々な態様に応用することができる。例えば、全ての芯部材をボールペンレフィルとし、特定の色（例えば黒）を芯部材３ｂとし、その他の色を芯部材３ａとしてもよい。また、芯部材３ａの数と芯部材３ｂの数は、任意に設定可能である。例えば、４色ボールペンであれば、２色ずつ芯部材３ａ，３ｂに振り分けてもよい。
【０１１４】
また、芯部材としては、例えば、タッチパネルを操作するためのタッチペンであってもよい。さらに、芯部材は、白色顔料を塗布して筆記した文字を修正する塗布具（所謂修正ペン）であってもよい。つまり、芯部材は、外部の筆記対象物に文字等（文字、図柄、記号）を筆記する用に供するもの、又は、筆記した文字を消去、修正に供するものである。
【０１１５】
さらに、複数の操作部材５のうちの一つにクリップ６を装着し、クリップ６を前後方向に移動させる様に構成した場合においても、本発明の構成を実施可能である。
【符号の説明】
【０１１６】
１    複式筆記具
２    軸筒
３ａ  芯部材（ボールペンレフィルの筆記芯）
３ｂ  芯部材（シャープペンシルユニットの筆記芯）
５    操作部材（操作手段）
７    ボールペンレフィル用コイルばね
８    シャープペンシルユニット用コイルばね
９    突出口（開口）
２０  ボールペンチップ（筆記部）
３１  ペン先チップ（筆記部）
【図１】
0006713292.tif 000004
【図２】
0006713292.tif 000005
【図３】
0006713292.tif 000006
【図４】
0006713292.tif 000007
【図５】
0006713292.tif 000008
【図６】
0006713292.tif 000009
【図７】
0006713292.tif 000010
【図８】
0006713292.tif 000011
【図９】
0006713292.tif 000012
【図１０】
0006713292.tif 000013
【図１１】
0006713292.tif 000014